(57)【要約】【課題】手間のかかる工事が不要で、周囲に壁等の立設する構造物がなくても、所望する場所に備えることができて、また収容時にはコンパクトな状態にでき且つ軽量で、設置場所において極めて容易に組み立てることができる手摺り装置を提供する。【解決手段】左右のサイドフレーム３の半部４を便器Ｂの左右両側に配置し、前側のシャフト１１に前側連結パイプ７の取付パイプ２７を上方から入れて、前側のシャフト１１を取付パイプ２７に貫入させる。次いで、後側連結パイプ９の取付パイプ２７を後側のシャフト１１へ上方から入れる。左のサイドフレーム３の半部６の丸穴１３へ半部３の取付パイプ２７から突出するシャフト１１を入れ、また右のサイドフレーム３の半部６の丸穴１３へ半部３の取付パイプ２７から突出するシャフト１１を入れて、手摺り装置１の組み立てが完了する。【選択図】        図２
2006346312.tif 000002
【特許請求の範囲】
【請求項１】
床に設置されるスタンディングフレームと、前記スタンディングフレームを自立させる自立手段と、前記スタンディングフレームどうしを連結する連結部材とを有する手摺り装置において、前記スタンディングフレームは分割でき、分割されたスタンディングフレームの一方側には嵌合部が固定され、他方側には前記嵌合部が嵌合させる被嵌合部が設けられ、前記嵌合部を前記被嵌合部に嵌合させて、分割されたスタンディングフレームを組み立てることを特徴とする手摺り装置。
【請求項２】
請求項１に記載した手摺り装置において、連結部材の端部には被嵌合部が設けられ、前記被嵌合部へ嵌合部を貫入して、且つ嵌合部を被嵌合部に嵌合させ、連結部材をスタンディングフレームに連結することを特徴とする手摺り装置。
【請求項３】
請求項１または２に記載した手摺り装置において、手摺り装置は便器の近傍に備えられるトイレ用であり、スタンディングフレームは一対設けられ、便器の左右両側にそれぞれ配置されて手摺りとなり、前記左右のスタンディングフレームの前端部どうしを連結する連結部材と、前記左右のスタンディングフレームの後端部どうしを連結する連結部材とを備えたことを特徴とする手摺り装置。
【請求項４】
請求項３に記載した手摺り装置おいて、連結部材の少なくとも一方は、一部が下方へ向かって湾曲して床に設置していることを特徴とする手摺り装置。
【請求項５】
請求項１から４のいずれかに記載した手摺り装置おいて、スタンディングフレームの高さ寸法を調節する高さ調節手段を具備したことを特徴とする手摺り装置。
【請求項６】
請求項１から５のいずれかに記載した手摺り装置おいて、スタンディングフレームフレームには人が座ることができる着座部が着脱自在に備えられていることを特徴とする手摺り装置。
【請求項７】
請求項６に記載した手摺り装置おいて、人が押すことにより走行可能とする走行手段が着脱自在に備えられていることを特徴とする手摺り装置。
【請求項８】
請求項１または２に記載した手摺り装置において、手摺り装置は階段等に備えられる歩行者用であり、連結部材が手摺りとなるものであることを特徴とする手摺り装置。
【請求項９】
請求項８に記載した手摺り装置において、支持フレームには他の部分より下方へ延長された延長部が設けられ、前記延長部が階段等の段部の下段部に、前記支持フレームの他の部分が段部の上段部に配置され、支持フレームを水平に設置できるものであることを特徴とする手摺り装置。
【請求項１０】
請求項１から９のいずれかに記載した手摺り装置おいて、スタンディングフレームを床に固定する固定手段を具備したことを特徴とする手摺り装置。
【発明の詳細な説明】
【技術分野】
【０００１】
本発明は手摺り装置に係り、特に設置場所に拘わらず備えることができる手摺り装置に関するものである。
【背景技術】
【０００２】
特許文献１に記載されているようにトイレ用手摺りは壁等の立設する構築物に取り付けられている。
しかしながら、建築物を建てた後にトイレ用手摺りを取り付ける場合には比較的手間のかかる工事を行う必要がある。また壁等の構造によっては手摺りを設けるのに強度が不足している等の理由で後付けできないこともある。このような事情はトイレ用の手摺りに限ったことではなく、階段やスロープ等の近傍に備えられる歩行者用の手摺りについても同様である。
また、特にトイレ用の手摺りを壁等に後付けした場合、便器から手摺りまでの距離が遠くて、甚だ使い難いものとなってしまうこともある。
【０００３】
近年、地震時等の緊急時に設置する仮設トイレが開発されているが、仮設トイレの便器の周囲には手摺りが設けられていないものが殆どである。特に老人や身体障害者にとっては、このような仮設トイレを使用することは困難である。
一方、仮設トイレ用の手摺りは、緊急時以外のときは倉庫等に収容しておくので、場所をとらないコンパクトな状態にできることが要求され、さらに運搬が容易にできるよう嵩張らないだけでなく、軽量であることも必要である。また、設置場所において極めて容易に組み立てることができることも要求される。
【特許文献１】特開２００２−１０２１１９公報
【発明の開示】
【発明が解決しようとする課題】
【０００４】
本発明は、上記従来の問題点に着目してなされたものであり、手間のかかる工事が不要で、周囲に壁等の立設する構造物がなくても、所望する場所に備えることができて、また収容時にはコンパクトな状態にでき且つ軽量で、設置場所において極めて容易に組み立てることができる手摺り装置を提供することを課題とする。
【課題を解決するための手段】
【０００５】
本発明は上記課題を解決するためになされたものであり、請求項１の発明は、床に設置されるスタンディングフレームと、前記スタンディングフレームを自立させる自立手段と、前記スタンディングフレームどうしを連結する連結部材とを有する手摺り装置において、前記スタンディングフレームは分割でき、分割されたスタンディングフレームの一方側には嵌合部が固定され、他方側には前記嵌合部が嵌合させる被嵌合部が設けられ、前記嵌合部を前記被嵌合部に嵌合させて、分割されたスタンディングフレームを組み立てることを特徴とする手摺り装置である。
【０００６】
請求項２の発明は、請求項１に記載した手摺り装置において、連結部材の端部には被嵌合部が設けられ、前記被嵌合部へ嵌合部を貫入して、且つ嵌合部を被嵌合部に嵌合させ、連結部材をスタンディングフレームに連結することを特徴とする手摺り装置である。
【０００７】
請求項３の発明は、請求項１または２に記載した手摺り装置において、手摺り装置は便器の近傍に備えられるトイレ用であり、スタンディングフレームは一対設けられ、便器の左右両側にそれぞれ配置されて手摺りとなり、前記左右のスタンディングフレームの前端部どうしを連結する連結部材と、前記左右のスタンディングフレームの後端部どうしを連結する連結部材とを備えたことを特徴とする手摺り装置である。
【０００８】
請求項４の発明は、請求項３に記載した手摺り装置おいて、連結部材の少なくとも一方は、一部が下方へ向かって湾曲して床に設置していることを特徴とする手摺り装置である。
【０００９】
請求項５の発明は、請求項１から４のいずれかに記載した手摺り装置おいて、スタンディングフレームの高さ寸法を調節する高さ調節手段を具備したことを特徴とする手摺り装である。
【００１０】
請求項６の発明は、請求項１から５のいずれかに記載した手摺り装置おいて、スタンディングフレームフレームには人が座ることができる着座部が着脱自在に備えられていることを特徴とする手摺り装置である。
【００１１】
請求項７の発明は、請求項６に記載した手摺り装置おいて、人が押すことにより走行可能とする走行手段が着脱自在に備えられていることを特徴とする手摺り装置である。
【００１２】
請求項８の発明は、請求項１または２に記載した手摺り装置において、手摺り装置は階段等に備えられる歩行者用であり、連結部材が手摺りとなるものであることを特徴とする手摺り装置である。
【００１３】
請求項９の発明は、請求項８に記載した手摺り装置において、支持フレームには他の部分より下方へ延長された延長部が設けられ、前記延長部が階段等の段部の下段部に、前記支持フレームの他の部分が段部の上段部に配置され、支持フレームを水平に設置できるものであることを特徴とする手摺り装置である。
【００１４】
請求項１０の発明は、請求項１から９のいずれかに記載した手摺り装置おいて、スタンディングフレームを床に固定する固定手段を具備したことを特徴とする手摺り装置である。
である。
【発明の効果】
【００１５】
本発明の手摺り装置によれば、手間のかかる工事が不要で、周囲に壁等の立設する構造物がなくても、所望する場所に備えることができる。
また収容時にはコンパクトな状態にでき且つ軽量で、設置場所において極めて容易に組み立てることができる。
【発明を実施するための最良の形態】
【００１６】
図１から図３に示す本発明の第１の実施の形態に係る手摺り装置１について説明する。
手摺り装置１はトイレ用であり、洋式の便器Ｂの近傍に備えられるものであり、一対のスタンディングフレームとしての左右一対のサイドフレーム３、連結部材としての前側連結パイプ７、後側連結パイプ９を主な構成要素としており、これらはいずれもアルミ合金製のパイプ等によって構成されている。
【００１７】
サイドフレーム３は上下方向のほぼ中心で二分割することができ、下側の半部４と上側の半部６とに分割できる。
半部４は横パイプ４ａとこの横パイプ４ａの両端部に縦パイプ４ｂが連続する「コの字」形に形成されている。半部６は横パイプ６ａ、この横パイプ６ａの後端部に連続する縦パイプ６ｂ並びに横パイプ６ａの前端部に連続する傾斜パイプ６ｃ、縦パイプ６ｄとによってほぼ「コの字」形に形成されている。
半部４の縦パイプ４ｂの先端部には嵌合部としてのシャフト１１が取り付けられている。また、半部６の縦パイプ６ｂの先端部には、シャフト１１が嵌合する被嵌合部としての丸穴１３が形成されている。縦パイプ６ｂ、６ｄの途中部分には、ピン差込穴１５、１７がそれぞれ形成されており、このピン差込穴１５、１７は上下方向に並んで配置されている。
【００１８】
ピン１９はピン差込穴１５または１７に差し込まれるものであり、先端部に雌ネジが形成されており、この雌ネジにはナット２１が取り付けられる。これらピン差込穴１５、１７、ピン１９及びナット２１によって高さ調節手段が構成されている。
半部４の横パイプ４ａの中央部には、シリコンゴム等の合成樹脂によって構成される滑り止め用の設置部２３が２個取り付けられている。また半部６の横パイプ６ａの中央部には、発泡ウレタン系等の合成樹脂によって構成される握り部２５が取り付けられている。握り部２５には暗くても視認し易いように蛍光塗料が塗布されている。
【００１９】
前側連結パイプ７と後側連結パイプ９は同一形状なので、前側連結パイプ７を代表例として説明する。前側連結パイプ７は、水平方向へ延びる左右両側部分と、両端部分に連続する傾斜部分と、傾斜部分に連続する中央部分が一体に形成されて構成されている。前側連結パイプ７の左右両端部には被嵌合部としての取付パイプ２７が固定され、この取付パイプ２７は垂直方向へ延びている。取付パイプ２７は短寸法に形成され、直径は左右のサイドフレーム３と同じ寸法に形成されている。また、前側連結パイプ７の中央部分には、滑り止め用の設置部２３が取り付けられている。
【００２０】
手摺り装置１を収納したり、搬送したりする場合には、左右のサイドフレーム３の半部４と半部６、前側連結パイプ７及び後側連結パイプ９をばらばらにして、厚み方向に重ねて結束した状態にする。このようにすると手摺り装置１を極めてコンパクトにでき、場所を取らずに倉庫等に収容しておくことが可能である。さらにアルミ合金によって構成されているので軽量であり、搬送時の取り扱いも容易である。
【００２１】
次に、手摺り装置１を組み立てる作業について説明する。
まず、左右のサイドフレーム３の半部４を便器Ｂの左右両側に配置し、そして、左右の半部４の前側のシャフト１１に前側連結パイプ７の左右の取付パイプ２７を上方から入れて、シャフト１１を取付パイプ２７に貫入させる。これにより半部４と前側連結パイプ７は床上に自立する状態となる。次いで、後側連結パイプ９の取付パイプ２７を後側のシャフト１１へ上方から入れる。
左右のサイドフレーム３の各々２本、合計４本のシャフト１１の先端部は取付パイプ２７からそれぞれ突出した状態となるので、これら４本のシャフト１１に左右のサイドフレーム３の半部６の丸穴１３を入れて嵌合させ、手摺り装置１の組み立てが完了する。このように手摺り装置１は基本的に６個パーツを組み合わせるだけなので極めて容易に組み立てることができる。
この手摺り装置１は左右のサイドフレーム３の下端部、前側連結パイプ７及び後側連結パイプ９が設置部２３を介して床に設置する状態となる。
【００２２】
図３に示すように、ピン１９を半部６に取り付けずに丸穴１３にシャフト１１を入れれば、半部４の最も深い位置まで入り込み、半部６が最低位置に保持される。
左右のサイドフレーム３の高さを調節する場合には、半部６のピン差込穴１５または１７にピン１９を差し込み、ピン差込穴１５または１７から突出するピン１９の先端部にナット２１を取り付ける。このようにして半部６の丸穴１３にシャフト１１を入れると、シャフト１１の先端面がサイドフレーム３の縦パイプを貫通するピン１９に当接し支持されて、半部６が所定の高さで保持される。
図４に示すようにピン１９をピン差込穴１７に取り付けた状態で、丸穴１３にシャフト１１を入れれば、シャフト１１の先端面が当接することで、半部６が上記した最低位値より高い中位置に保持される。
ピン１９をピン差込穴１５に取り付けた状態で、丸穴１３にシャフト１１を入れれば、半部６が最高位置に保持される。このように、サイドフレーム３の高さを三段階に調節することができる。
【００２３】
手摺り装置１を便器Ｂの近傍に配置すれば、人が便座に座る際と便座Ｂ１から立ち上がる際に、左右のサイドフレーム３を手摺りとして使用し、握り部２５を持って体を支えることができる。従って、老人や身体障害者でも安全且つ楽に、便座Ｂ１に対し腰掛けたり、便座Ｂ１から立ったりすることができる。握り部２５は適度な弾力と滑り止め機能をもつ発泡ウレタン系等の合成樹脂によって構成されているので、握力が弱い者でも確実に把持することができる。
また、シリコンゴム等の合成樹脂によって構成される滑り止め用の設置部２３が左右のサイドフレーム３、前側連結パイプ７及び後側連結パイプ９に取り付けられているので、床面がどのような材料によって構成されていても、手摺り装置１が不用意に動いてしまうのを防止することが可能である。
【００２４】
図５に示す第２の実施の形態に係る手摺り装置３１について説明する。
この手摺り装置３１は上記第１の実施の形態の手摺り装置とほぼ同様の構成を有しているので、同様の構成部分については第１の実施の形態と同じ符号を伏して、その説明を省略し、異なる構成部分についてのみ説明する。このことは第３の実施の形態から第８の実施の形態の説明についても適用する。
便器Ｂａの後方にはタンクＴが備えられているので、このタンクＴを逃げるように後方へ向かって湾曲する形状の後側連結パイプ３３が用いられている。後側連結パイプ３３には取付パイプ２７が固定され、サイドフレーム３に対する取付方法は第１の実施の形態の手摺り装置１と同様である。
【００２５】
図６に示す第３の実施の形態に係る手摺り装置４１について説明する。
便器Ｂｂの後部には、２本の吸水管Ｐが接続されているので、この２本の吸水管Ｐを逃げるように湾曲する後側連結パイプ４３が用いられている。後側連結パイプ４３には、その中央に上側に向かって湾曲する上側湾曲部４５、この上側湾曲部４５を挟んで左右両側に下側に向かって湾曲する下側湾曲部４７、４９が形成されている。そして、上側湾曲部４５内に吸水管Ｐが位置しており、下側湾曲館４７、４９が床に設置されている。
【００２６】
図７に示す第４の実施の形態に係る手摺り装置５１について説明する。
この手摺り装置５１は固定手段としての４つの面ファスナー５３を備えている。面ファスナー５３の雌側５３ａは床に貼着され、この上にサイドフレーム３が載せられている。そして面ファスナー５３の雄側５３ｂが半部４の横パイプに上方から被さり、雌側５３ａに連結されている。これにより手摺り装置５１は面ファスナー５３を介して床に固定される。従って、手摺り装置５１が不用意に動くのをより確実に防止することができる。
【００２７】
この手摺り装置５１には、面ファスナー５７によって固定された握り部５５が横パイプ６ａに取り付けられている。握り部５５は展開すると長方形の板状になり、この握り部５５の左右の両端部に面ファスナー５７の雌側５７ａと雄側５７ｂがそれぞれ固定されている。そして、握り部５５を横パイプ６ａに巻き付けて、面ファスナー５７の雌側５７ａと雄側５７ｂとを連結することにより固定する。
【００２８】
図８に示す第５の実施の形態に係る手摺り装置６１について説明する。
この手摺り装置６１は着座部６３を備え、椅子としての機能を併せ持つものである。着座部６３は板状部６５と、この板状部６５左右両側部に下端部が固定された４つのフック部６７とによって構成されている。フック部６７の上端部は左右方向へ湾曲する形状に形成されており、このフック６７をサイドフレーム３の横パイプ６ａに掛けて板状部６５を係止させる。そして、板状部６５に腰掛ければ、椅子として用いることができる。
【００２９】
この手摺り装置６１を介護用の持ち運びができる便器Ｂｃの周囲に配置し、便器を使用する時には着座部６３を外して、サイドフレーム３を手摺りとして使用する。そして、便器を使用しない時には上述のように着座部６３をサイドフレーム３に取り付けて椅子として使用する。このようにすれば、手摺り装置６１に椅子の機能を付加できるだけでなく、病室等に便器Ｂｃを置いたままにしても違和感が生じることはない。
【００３０】
図９に示す第６の実施の形態に係る手摺り装置７１について説明する。
この手摺り装置７１は着座部６３、走行手段としてのキャスター７３、ステップ７５等を備え、車椅子としての機能を併せ持つものである。
着座部６３は第５の実施の形態に係る手摺り装置６１に備えられたものと同じである。４つのキャスター７３はサイドフレーム３の半部４の４本の縦パイプ４ｂにそれぞれ取り付けられている。
ステップ７５はサイドフレーム３の縦パイプ４ｂに前方へ突出するように取り付けられた支持部材７７に係止されている。
【００３１】
後側連結パイプ９が２本設けられ、この２本の後側連結パイプ９が上下方向に重なるようにシャフト１１に通されている。上側に配置された後側連結パイプ９は湾曲する側を上にして、下側に配置された後側連結パイプ９は湾曲する側を下にしてそれぞれ配置されている。このうち上側の後側連結パイプ９は手摺り装置７１を車椅子として使用する場合に背もたれとして機能すると共に手摺り装置７１を押すための取っ手として機能する。即ち、着座部６３の板状部６５に人が腰掛け、上側に配置された後側連結パイプ９を持って押すことにより、手摺り装置６１が走行でき、車椅子として使用できる。
【００３２】
図１０から図１２に示す第７の実施の形態に係る手摺り装置８１について説明する。
この手摺り装置８１は階段やスロープの近傍に備えられるものである。
手摺り装置８１ではサイドフレーム３が使用され、半部４の縦パイプ４ｂと半部６の縦パイプ６ｂを下側、即ち床に設置される側となる姿勢で配置される。従って、半部４と半部６は水平方向へ並んで備えられる。
符号８３は支持フレームを示し、支持フレーム８３は前側の半部８５と後側の半部８７とによって構成されている。半部８５と半部８７は同一形状なので、半部８５を代表例として説明する。半部８５は傾斜パイプ８９と、この傾斜パイプ８９に一体に形成された水平な横パイプ９１とを有している。半部８５の傾斜パイプ８９側の端部には取付パイプ２７が備えられており、横パイプ９１側の端部は取付パイプ９２が備えられている。取付パイプ２７、９２は傾斜パイプ８９及び横パイプ９１に直交するように備えられている。取付パイプ９２は取付パイプ２７より長い寸法に形成されている。
【００３３】
符号９３は連結部材としての手摺りパイプを示し、この手摺りパイプ９３は真っ直ぐな長寸法で、その両端部に取付パイプ２７が備えられている。取付パイプ２７は手摺りパイプ９３に直交するように備えられている。
半部４の上側のシャフト１１には半部８５の取付パイプ２７、手摺りパイプ９３の一端側の取付パイプ２７及び半部８７の取付パイプ２７へ通され、また半部４の下側のシャフト１１には半部８５の取付パイプ９２と半部８７の取付パイプ９２へ通される。そして、半部４の上下のシャフト１１は、半部６の丸穴１３へ挿入して嵌合する。
【００３４】
手摺りパイプ９３の他端側も上記と同様にして、支持フレーム８３を連結する（図１０参照）。そして、図１２に示すように階段Ｋの上と下に支持フレーム８３を設置し、支持フレーム８３を面ファスナー５３によって床Ｙに固定する。このようにすれば、手摺りフレーム９３が階段Ｋを上り下りする際に使用する手摺りとして機能する。
手摺り装置８１によれば、どのような場所でも工事を行うことなく、階段に手摺りを備えることが可能である。
なお、図１１に示す立ち上がり部９４ａを有する手摺りパイプ９４を、手摺りパイプ９３に代えて使用すれば、手摺りの高さ位置を立ち上がり部の寸法分高くすることが可能である。
【００３５】
図１３、図１４に示す第８の実施の形態に係る手摺り装置１０１について説明する。
手摺り装置１０１は、第７の実施の形態に係る手摺り装置８１と、構成を同様とするので、その相違点についてのみ説明し、同じ構成部分については第７の実施の形態と同じ符号を付して説明を省略する。
図１３に示すように階段Ｋの踏板Ｋａの前後方向の幅寸法が小さく、一段分の踏み面Ｋａに支持フレーム８３を載せることができない場合には、図１４に示すように、支持フレーム１０３は前側の半部１０５と後側の半部８７とによって構成し、これに対応することができるようにする。
【００３６】
半部１０５は傾斜パイプ１０７、傾斜パイプ１０７の下端部に連続して形成された水平な横パイプ１０９、この横パイプ１０９に連続して形成され、斜め上方へ向かって延びる傾斜パイプ１１１、さらに傾斜パイプ１１１の上端部に連続し水平方向へ延びて、一端部が傾斜パイプ１０７の途中部分に連結される渡しパイプ１１３とによって構成されている。そして、渡しパイプ１１３の他端部に取付パイプ９２が備えられている。半部１０５の長さ寸法は半部８７のそれより渡しパイプ１１３より下側の寸法分長く、渡しパイプ１１３より下側の部分が延長部となっている。半部１０５の渡しパイプ１１３より下側の長さ寸法は階段Ｋの蹴込Ｋｂの高さと同じ寸法に設定されている。
【００３７】
従って、この手摺り装置１０１は図１３に示すように、支持フレーム１０３の半部８７を階段Ｋの上段部の一枚の踏板Ｋａに設置し、半部１０５を一段下の下段部の踏板Ｋａに設置することができる。よって、踏板Ｋａの前後方向の幅寸法が小さい階段にも適用することが可能である。
【００３８】
以上、本発明の実施の形態について詳述してきたが、具体的構成は、この実施の形態に限られるものではなく、本発明の要旨を逸脱しない範囲における設計の変更などがあっても発明に含まれる。
例えば、上記実施の形態では、サイドフレーム、支持フレーム及び連結部材をアルミニウム合金製のパイプによって製作したが、本発明はこれに限定されず、アルミニウム合金以外の金属、或いはプラスチック等によって構成してもよい。
また、上記実施の形態において、後側連結パイプの形状を種々変えることにより便器の後側に配置されるタンクを逃げる構成としたが、この他、後側連結パイプの高さ位置を変更できる構成としてもよい。例えば、後側連結パイプをＵ字状に形成して、左右のサイドフレームに後側連結パイプを貫入できる筒状体を設け、この筒状体にＵ字状の後側連結パイプの湾曲方向を上側にして貫入し、任意の位置で後側連結パイプを固定できる固定手段を設ける構成としてもよい。固定手段は例えば筒状体と後側連結パイプの縦パイプにラジアル方向の穴を形成し、この穴にボルトを差し込み、さらに上記穴から突出する部分に形成された雌ネジにナットを取り付けるように構成してもよい。
【図面の簡単な説明】
【００３９】
【図１】本発明の第１の実施の形態に係る手摺り装置の斜視図である。
【図２】図１の手摺り装置の分解斜視図である。
【図３】図１の手摺り装置の高さ寸法の調節方法を説明するための図である。
【図４】図１の手摺り装置の高さ寸法の調節方法を説明するための図である。
【図５】本発明の第２の実施の形態に係る手摺り装置の斜視図である。
【図６】本発明の第３の実施の形態に係る手摺り装置の斜視図である。
【図７】本発明の第４の実施の形態に係る手摺り装置の斜視図である。
【図８】本発明の第５の実施の形態に係る手摺り装置の斜視図である。
【図９】本発明の第６の実施の形態に係る手摺り装置の斜視図である。
【図１０】本発明の第７の実施の形態に係る手摺り装置の斜視図である。
【図１１】図１０の手摺り装置の一部分解斜視図である。
【図１２】図１０の手摺り装置を階段に設置した状態を示す図である。
【図１３】本発明の第８の実施の形態に係る手摺り装置を階段に設置した状態を示す図である。
【図１４】図１３の手摺り装置の一部分解斜視図である。
【符号の説明】
【００４０】
１、３１、４１、５１、６１、７１、８１、１０１  手摺り装置
３  サイドフレーム
４  サイドフレームの半部      ６  サイドフレームの半部
４ａ  横パイプ      ４ｂ  縦パイプ
６ａ  横パイプ      ６ｂ  縦パイプ
６ｃ  傾斜パイプ      ６ｄ  縦パイプ
７  前側連結パイプ      ９  後側連結パイプ
１１  シャフト      １３  丸穴      １５、１７  ピン差込穴
１９  ピン      ２１  ナット      ２３  滑り止め用の設置部
２５  握り部      ２７  取付パイプ
５３  面ファスナー      ５３ａ  面ファスナーの雌側
５３ｂ  面ファスナーの雄側
５７  面ファスナー      ５７ａ  面ファスナーの雌側
５７ｂ  面ファスナーの雄側
６３  着座部      ６５  板状部      ６７  フック部
７３  キャスター      ７５  ステップ      ７７  支持部材
８３、１０３  支持フレーム      ８５  前側の半部
８７  後側の半部      ８９  傾斜パイプ
９１  横パイプ      ９２  取付パイプ      ９３  手摺りパイプ
１０５  前側の半部      １０７  傾斜パイプ
１０９  横パイプ      １１１  傾斜パイプ
Ｂ、Ｂａ、Ｂｂ  便器      Ｂ１  便座      Ｐ給水管
【図１】
2006346312.tif 000003
【図２】
2006346312.tif 000004
【図３】
2006346312.tif 000005
【図４】
2006346312.tif 000006
【図５】
2006346312.tif 000007
【図６】
2006346312.tif 000008
【図７】
2006346312.tif 000009
【図８】
2006346312.tif 000010
【図９】
2006346312.tif 000011
【図１０】
2006346312.tif 000012
【図１１】
2006346312.tif 000013
【図１２】
2006346312.tif 000014
【図１３】
2006346312.tif 000015
【図１４】
2006346312.tif 000016